(57)【特許請求の範囲】
【請求項１】
鏡と、
この鏡の背面に配置されたヒーターと、
このヒーターを背面側から覆うバックプレートと
を備え、
前記バックプレートが、
前記ヒーターの背面を覆う後面部と、
この後面部の外縁から前記鏡側に突設され且つ前記ヒーターの側面を覆う内側片と、
この内側片の前記鏡側の端縁から外方に向けて突設され且つ当該鏡の背面に当接するフランジ片と、
このフランジ片の外縁から前記鏡とは離れる方向に突設された外側片と、
前記内側片と前記フランジ片と前記外側片との間に収容配置された補強材と
を備え、
前記補強材の背面が、前記後面部の背面と略面一か又は当該後面部の背面よりも後方に位置にしている
ことを特徴とする防曇鏡。
【発明の詳細な説明】
【技術分野】
【０００１】
本発明は、防曇鏡に関する。
【背景技術】
【０００２】
従来、鏡の背面にヒーターが配設された防曇鏡が知られている（例えば特許文献１参照）。この特許文献１記載の防曇鏡は、鏡と、この鏡の背面に装着されたヒータと、このヒータを背面側から覆うバックプレートとを備えている。
【０００３】
このバックプレートは、ヒータの背面を覆う後面部と、この後面部の外縁から鏡側に向けて突設された側面部と、この側面部の鏡側の端部から外方に向けて突設されたフランジ片とを備えている。バックプレートは、フランジ片が鏡の背面に当接するよう装着され、鏡に装着されることで、内部にヒータを収容する空間部を形成する。
【０００４】
この種の防曇鏡は、このような構成のバックプレートが鏡の背面に装着され、前記空間部にヒータを収容することで組み立てられる。防曇鏡は、組み立てられた状態で、壁面に沿って取り付けられる。このとき防曇鏡は、バックプレートの後面部が、壁に当接するよう配置される。
【先行技術文献】
【特許文献】
【０００５】
【特許文献１】実開昭６２−３５５３９号公報
【発明の概要】
【発明が解決しようとする課題】
【０００６】
ところがこのような従来の防曇鏡は、壁面に沿って設置されると、フランジ片と壁面との間に隙間を形成してしまう。この壁面と鏡との間に形成される隙間は、見栄えを低下させるという問題だけでなく、施工時やユーザー使用時等において、鏡の外縁が押圧されると、この部分が撓んでしまうおそれがあった。
【０００７】
本発明は、上記事情に鑑みてなされたものであり、その目的とするところは、鏡の背部にバックプレートが配設された防曇鏡において、設置された状態で見栄えが損なわれるのを防ぎ、また外縁部の撓みを防ぐことのできる防曇鏡を提供することにある。
【課題を解決するための手段】
【０００８】
本発明の防曇鏡は、鏡と、この鏡の背面に配置されたヒーターと、このヒーターを背面側から覆うバックプレートとを備え、前記バックプレートが、前記ヒーターの背面を覆う後面部と、この後面部の外縁から前記鏡側に突設され且つ前記ヒーターの側面を覆う内側片と、この内側片の前記鏡側の端縁から外方に向けて突設され且つ当該鏡の背面に当接するフランジ片と、このフランジ片の外縁から前記鏡とは離れる方向に突設された外側片と、前記内側片と前記フランジ片と前記外側片との間に収容配置された補強材とを備えていることを特徴とする。
【０００９】
またこの防曇鏡において、前記補強材の背面が、前記後面部の背面と略面一か又は当該後面部の背面よりも後方に位置にしていることが好ましい。
【発明の効果】
【００１０】
本発明の防曇鏡によれば、鏡の背部にバックプレートが配設された防曇鏡において、設置された状態で見栄えが損なわれるのを防ぎ、また外縁部の撓みを防ぐことができる。
【図面の簡単な説明】
【００１１】
【図１】本発明の実施形態の背面側から見た斜視図である。
【図２】本実施形態の図１におけるＡ−Ａ線断面図である。
【図３】本実施形態の図２における要部拡大図である。
【図４】本実施形態の防曇鏡の施工方法を説明するための側面図である。
【図５】本実施形態の防曇鏡の施工方法を説明するための図であり（ａ）は上支持具を装着する直前の斜視図であり（ｂ）は上フレームを装着する直前の斜視図である。
【発明を実施するための形態】
【００１２】
以下、本発明の実施形態について添付図面に基づいて説明する。
【００１３】
本実施形態の防曇鏡１は、浴室の壁面７に沿って設置される浴室用防曇鏡である。この防曇鏡１は、鏡２の背面に面状のヒーター３が配設されており、このヒーター３により鏡２を加熱することで、鏡２表面に生じる結露を防ぎ、鏡２が曇るのを防止する。本実施形態の防曇鏡１は、図２に示されるように、平面視矩形形状をした薄板状の鏡２と、この鏡２の背面に配置されたヒーター３と、このヒーター３を背面から覆うバックプレート４とを備えている。
【００１４】
ヒーター３は、面状発熱体により構成されている。本実施形態のヒーター３は、板状の基材上に、所定のピッチで何度も折り返されて蛇行した電熱線が積層一体化されており、面状に発熱することができる。ヒーター３は、図１に示されるように、裏面の下部に、電熱線に電力を供給するための電源線３１を有しており、この電源線３１を介して、ＯＮ／ＯＦＦ操作部及び商用電源部に接続される。
【００１５】
バックプレート４は、鏡２の背面に配置されたヒーター３を背面から覆うよう構成されており、ヒーター３を背面から覆うことで、当該ヒーター３を鏡２に固定する。バックプレート４は、図１，２に示されるように、ヒーター３の背面を覆う後面部４１と、この後面部４１の外縁から前側（鏡２側）に向けて突設された内側片４２と、この内側片４２の突出先端から外方に向けて突設されたフランジ片４３とを備えている。さらにこのバックプレート４は、フランジ片４３の外縁から後方（つまり、鏡２とは離れる方向）に向けて突設された外側片４４と、内側片４２とフランジ片４３と外側片４４とで形成された後方に開口する溝状部４５内に収容配置された補強材４６とを備えている。このバックプレート４は、例えば合成樹脂を射出成形や注型成形することにより、各部が一体成形されている。
【００１６】
バックプレート４は、図１に示されるように、後面部４１により主体が構成されている。この後面部４１は、背面視矩形状をした平板状に形成されており、その下部にヒーター３の電源線３１を挿通するための挿通孔（図示せず）が穿設されている。後面部４１の上端には、ヒーター３の上面を覆う上側片４７が前方に向けて突設されており、後面部４１の下端部には、ヒーター３の下面を覆う下側片４８が前方に向けて突設されている。
【００１７】
バックプレート４は、後面部４１の左右両端から内側片４２が連設されている。内側片４２は、図３に示されるように、後面部４１に略直交しており、ヒーター３の側面を覆うよう構成されている。この内側片４２の前端からは、左右方向の外側に向けてフランジ片４３が連設されている。
【００１８】
フランジ片４３は、鏡２の背面に当接するよう構成されている。フランジ片４３は、正面視において、その外縁が、鏡２の外縁と略同じ位置に位置している。フランジ片４３は、その前面が鏡２の背面への接着面を構成する。本実施形態のフランジ片４３は、その前面に両面テープ６が配設され、この両面テープ６を介して鏡２に接着固定される。なお、フランジ片４３と鏡２との固定は、両面テープ６に限らず、接着剤であってもよいし、その他の固定手段で固定されてもよい。
【００１９】
バックプレート４は、このフランジ片４３の外側の端縁から、後方側に向けて外側片４４が突設されている。この外側片４４は、フランジ片４３とは略直交しており、内側片４２に一定寸法離間して並設されている。外側片４４は、鏡２の上下方向の略全長に亘って形成されている。外側片４４は、正面視において、鏡２の外縁と略同位置に配置されるよう構成されており、外側片４４の外面と鏡２の端面とが、略面一となるよう形成される。外側片４４は、その先端が、後面部４１の背面よりも後方側に位置している。
【００２０】
バックプレート４は、内側片４２とフランジ片４３と外側片４４とで、後方側に開口する溝状部４５を形成する。この溝状部４５は、後方に開口する断面略Ｃ字状をしており、上下方向に長く形成されている。溝状部４５は、鏡２の左右両端にそれぞれ形成されている。
【００２１】
バックプレート４は、この溝状部４５の内部に収容配置された補強材４６を有している。この補強材４６は、上下方向に長尺な棒形状となっている。本実施形態の補強材４６は、断面矩形状となっていると共に、鏡２の上下方向の略全長に亘って設けられている。補強材４６は、溝状部４５の奥面（つまりフランジ片４３の後面）に、接着される。なお本実施形態の補強材４６は、溝状部４５の奥面に、両面テープ６を介して接着されている。
【００２２】
また補強材４６の背面は、壁面７に対して、接着剤や両面テープ６を介して接着される接着面を構成する。この補強材４６の背面は、後面部４１の背面に対し、略面一となるか、又はそれよりも後方側に位置するよう構成されている。本実施形態の補強材４６の背面には両面テープ６が配設されており、壁面７と補強材４６の背面とが当該両面テープ６を介して接着されることで、バックプレート４と浴室壁面７との間における平面視中央側への浸水を防止する。
【００２３】
補強材４６は、例えば、繊維強化プラスチックや、曲げ強度を強化したエンジニアプラスチック等の高強度プラスチックにより構成されてもよいし、ステンレス等のような金属材により構成されてもよい。
【００２４】
このような構成のバックプレート４は、ヒーター３を内部に収容した状態で、鏡２の背面に装着される。バックプレート４は、上述したように、フランジ片４３の前面に両面テープ６が配設されており、この両面テープ６を介して鏡２の背面に固定される。このとき、バックプレート４の挿通孔からヒーター３の電源線３１が挿通され、この状態で矩形板状のパッキン５が、当該挿通孔を覆うようにして配設される。
【００２５】
上記構成の防曇鏡１は、例えば次のようにして設置される。
【００２６】
まず施工者は、浴室の壁面７に、防曇鏡１を下方から支持する下支持具８１と、防曇鏡１の上端を保持する上支持具８２とを設置する（図４参照）。
【００２７】
下支持具８１は、上方に開口した断面Ｊ字状をしており、鏡２の左右方向の略全長に亘って形成されている。下支持具８１は、浴室壁面７の所定の位置に固定的に取り付けられる。上支持具８２は、下方に開口した断面逆Ｊ字状をしており、図５（ｂ）に示されるように、左右方向の長さが、下支持具８１よりも短くなっている。上支持具８２は、鏡２の上端部の二箇所を保持するよう、一定寸法離して設置される。上支持具８２は、上下方向にスライド移動自在に取り付けられている。
【００２８】
施工者は、防曇鏡１を傾倒させながら持ち上げ、当該防曇鏡１の下端を下支持具８１に載置する（図４参照）。この後、防曇鏡１の下端を支点にして上端側を回動し、防曇鏡１を壁面７に沿うよう配置する。施工者は、この状態で上支持具８２を下方にスライド移動させ、当該上支持具８２により防曇鏡１の上端を保持させる（図５（ａ）参照）。この後、上フレーム９を防曇鏡１の上端に装着する（図５（ｂ）参照）。
【００２９】
この上フレーム９は、前側に位置する前片９１と、前片９１の上端から後方に向けて連設された上片９２と、上片９２の後端から下方に向けて突設された後片９３とにより構成されており、断面下向きＣ字状となっている。上フレーム９は、前片９１及び上片９２が、鏡２の左右方向の略全長に亘って形成されている。また上フレーム９は、後片９３における上支持具８２に対応する部分に切欠部９４が形成されている。
【００３０】
このように本実施形態の防曇鏡１は、フランジ片４３の外縁に外側片４４が設けられているため、鏡２の背面にヒーター３が配置されることで形成される鏡２と壁面７との間の鏡２の外縁部の隙間が、この外側片４４により覆われる。これにより、鏡２の背面にヒーター３が配置される防曇鏡１が、壁面７に沿って配置された場合でも、壁面７との間に隙間を形成してしまうのを防ぎ、見栄えを損ねてしまうのを防ぐことができる。
【００３１】
また本実施形態の防曇鏡１は、外側片４４とこれに対向する内側片４２とフランジ片４３との間に補強材４６が収容配置されているため、設置された状態で鏡２の外縁が壁面７側に押圧されたとしても、この部分が撓みにくい。また、壁面７に設置されていない状態でも、鏡２の外縁が補強材４６により補強されているため、撓みにくく破損しにくい。
【００３２】
また本実施形態の防曇鏡１は、補強材４６の背面が、後面部４１の背面と略同じ位置か又は後面部４１の背面よりも後方に位置にしている。このため補強材４６の背面を壁面７に接着しやすくすることができる。壁面７と補強材４６の背面とが接着されると、この部分からの浸水を防ぐことができ、電源線３１を通すため壁面７に設けられた貫通孔７１から、水が漏れるのを防ぐことができる。
【００３３】
なお、本実施形態の防曇鏡１は、フランジ片４３や外側片４４や補強材４６等が左右方向の両側に設けられていたが、本発明の防曇鏡においては、上下方向に設けられていてもよいし、外周全周に亘って設けられていてもよい。
【００３４】
また本実施形態の防曇鏡１は、浴室の壁面７に取り付けられたものであったが、本発明の防曇鏡は、例えば、脱衣所の壁面に取り付けられたものであってもよく、設置箇所は特に限定されない。
【符号の説明】
【００３５】
１      防曇鏡
２      鏡
３      ヒータ
３１    電源線
４      バックプレート
４１    後面部
４２    内側片
４３    フランジ片
４４    外側片
４５    溝状部
４６    補強材
４７    上側片
４８    下側片
５      パッキン
６      両面テープ
７      浴室の壁面
８１    下支持具
８２    上支持具
９      上フレーム
９１    前片
９２    上片
９３    後片
９４    切欠部
【図１】
0005810311.tif 000002
【図２】
0005810311.tif 000003
【図３】
0005810311.tif 000004
【図４】
0005810311.tif 000005
【図５】
0005810311.tif 000006